(57)【要約】【課題】設置スペースがほとんど必要なく、狭い室内、寝室、物品が散らかった場所でも使用することができ、構成する部品点数が少なくて構造も簡単であり、組立・分解作業にほとんど労力及び時間を必要としないマッサージ器具を提供する。【解決手段】左右一対の同径のローラ１０Ａ，Ｂ、２０Ａ，Ｂ、３０Ａ，Ｂ、４０Ａ，Ｂ、５０Ａ，Ｂを取り付けたローラ軸１２、２２、３２、４２、５２と、複数個の切り欠き部を設けた連結部材１００を有し、左右一対のローラ１０Ａ，Ｂ、２０Ａ，Ｂ、３０Ａ，Ｂ、４０Ａ，Ｂ、５０Ａ，Ｂをそのローラ軸１２、２２、３２、４２、５２が相互に平行になるように配置し、連結部材１００の切り欠き部をそれぞれローラ軸１２、２２、３２、４２、５２に挿入することにより、左右一対のローラ１０Ａ，Ｂ、２０Ａ，Ｂ、３０Ａ，Ｂ、４０Ａ，Ｂ、５０Ａ，Ｂが縦長方向にそれぞれ回転自在に配置される。【選択図】　　　　図２
0003097773.tif 000002
【実用新案登録請求の範囲】
【請求項１】
左右一対の同径のローラを取り付けたローラ軸と、複数個の切り欠き部を設けた連結部材を有し、上記左右一対のローラをそのローラ軸が相互に平行になるように複数セット配置し、上記連結部材の切り欠き部をそれぞれ上記ローラ軸に挿入することにより、上記左右一対のローラが縦長方向にそれぞれ回転自在に配置されることを特徴とするマッサージ器具。
【請求項２】
上記縦長方向に配置される左右一対のローラとして、直径の相違する左右一対のローラを複数セット使用したことを特徴とする請求項１に記載のマッサージ器具。
【請求項３】
上記縦長方向に配置される左右一対のローラにおいて、相隣り合うローラ同士の円が互いに重なり合うように配置したことを特徴とする請求項１又は請求項２に記載のマッサージ器具。
【請求項４】
上記連結部材の切り欠き部から上記ローラ軸が抜け落ちることを防止するための係止部が設置されていることを特徴とする請求項１から請求項３のいずれか１項に記載のマッサージ器具。
【請求項５】
上記連結部材を複数個用意し、１つの連結部材で相隣り合うローラ軸同士を連結することを特徴とする請求項１から請求項４のいずれか１項に記載のマッサージ器具。
【請求項６】
相隣り合うローラ軸同士を係止する連結部材として、一対の連結部材を用意し、一方の連結部材の切り欠き部は、長手方向の中央側から両端側に向って傾斜を持たせ、他方の連結部材の切り欠き部は、長手方向に対して直角方向に切り欠きを設けていることを特徴とする請求項１から請求項５のいずれか１項に記載のマッサージ器具。
【考案の詳細な説明】
【０００１】
【考案の属する技術分野】
この考案は、左右一対のローラを複数セット縦長方向に配置して、人体の背部、特に肩部から腰部、尻部にかけて連続してマッサージすると共に、上記左右一対のローラを単独で使用して例えば頸椎部分の凝りをマッサージするマッサージ器具に関するものである。
【０００２】
【従来の技術】
従来、マッサージ機として、機枠１の一方に握持杆２を上方に突設して設け、この機枠１の水平部にはそれぞれ取付孔８，９を機枠１の長手方向に沿って複数個設けた支持板６，７を互いに相対向させて取付け、この支持板６，７の握持杆２側には傾斜角度を可調整とした頚部マッサージ用のローラ１４を上記取付孔８に取付位置変更可能に装着し、上記支持板７の握持杆２から遠ざかる位置には機枠１の長手方向に向って揺動する背部マッサージ用のローラ１８と腰部マッサージ用のローラ１９とを、背部マッサージ用のローラ１８より腰部マッサージ用のローラ１９を高くして上記支持板７の取付孔９に取付位置変更可能に並設して構成するものがあった（例えば、特許文献１等）。
【０００３】
上記マッサージ機において、頚部、背部、腰部の各マッサージ用のローラ１４，１８，１９は、人体の移動に応動して回動、揺動するように取り付けられており、人体の各部位（頚部、背部、腰部）と確実に接触して揉み作用を正確に行うことができると共に、特に背部、腰部の各ローラ１８，１９はマッサージ中に捻れ運動を起こして指圧効果を得ることもできる。
【０００４】
また、脊椎整圧マッサージ装置として、左右方向を向き、かつ互いに平行をなす多数の枢軸１のおのおのに、左右一対をなす等径のローラー２，３，４を枢着するとともに、相隣る枢軸の両端同士を順次連係板７，８をもって回転自在に連結してなるローラー装置Ａと、上面にこのローラー装置Ａを置いたとき、前記各対をなすローラー２，３，４が嵌入して、各ローラー２，３，４を案内するようにした長手方向の案内突条を上面に有する支承装置Ｂとよりなるものがあった（例えば、特許文献２）
【０００５】
【特許文献１】
実開昭５７−９３３２７号公報（実用新案登録請求の範囲、第１１頁、第１図、第２図）
【特許文献２】
実公昭５７−２４３５１号公報（実用新案登録請求の範囲、第１図〜第３図）
【０００６】
【考案が解決しようとする課題】
従来のマッサージ機は上記のように構成されているので、組み立てて使用する場合、機枠や支承装置を設置するためのスペースが必要となり、狭い室内、寝室、物品が散らかった場所では、機器を設置して使用することできない場合が多かった。また、マッサージ機を構成する部品点数が多数あり、構造も複雑なので、組立・分解作業にある程度の労力及び時間を必要としていた。更に、マッサージ機を分解して保管するに当ってもスペースをとり、使用に際して容易に携行することはできなかった。
【０００７】
この考案は、上記のような問題点を解消するためになされたものであり、設置スペースがほとんど必要なく、狭い室内、寝室、物品が散らかった場所でも使用することができるマッサージ器具を提供する。
【０００８】
また、構成する部品点数が少なく、構造も簡単であり、組立・分解作業にほとんど労力及び時間を必要としないマッサージ器具を提供することを目的とする。
【０００９】
更に、分解して保管するに当ってもスペースをとらず、使用に際してもそのままの形で容易に携行することができるマッサージ器具を提供することを目的とする。
【００１０】
【課題を解決するための手段】
この考案によるマッサージ器具は、左右一対の同径のローラを取り付けたローラ軸と、複数個の切り欠き部を設けた連結部材を有し、左右一対のローラをそのローラ軸が相互に平行になるように複数セット配置し、上記連結部材の切り欠き部をそれぞれ上記ローラ軸に挿入することにより、上記左右一対のローラが縦長方向にそれぞれ回転自在に配置されることを特徴とする。
【００１１】
また、縦長方向に配置される左右一対のローラとして、直径の相違する左右一対のローラを複数セット使用したことを特徴とする。
【００１２】
また、縦長方向に配置される左右一対のローラにおいて、相隣り合うローラ同士の円が互いに重なり合うように配置したことを特徴とする。
【００１３】
更に、連結部材の切り欠き部からローラ軸が抜け落ちることを防止するための係止部が設置されていることを特徴とする。
【００１４】
また、連結部材を複数個用意し、１つの連結部材で相隣り合うローラ軸同士を連結することを特徴とする。
【００１５】
更に、相隣り合うローラ軸同士を係止する連結部材として、一対の連結部材を用意し、一方の連結部材の切り欠き部は、長手方向の中央側から両端側に向って傾斜を持たせ、他方の連結部材の切り欠き部は、長手方向に対して直角方向に切り欠きを設けていることを特徴とする。
【００１６】
【考案の実施の形態】
実施の形態１．
図１はこの考案の実施の形態１によるマッサージ器具を示す平面図、図２は図１のＸ−Ｘ線から視た上記マッサージ器具の側面図、図３は上記マッサージ器具の連結部材を示す側面図、図４は上記マッサージ器具の把持部材を示す側面図である。
【００１７】
図において、左右一対のローラ１０Ａと１０Ｂ，２０Ａと２０Ｂ，３０Ａと３０Ｂ，４０Ａと４０Ｂ，５０Ａと５０Ｂは、それぞれ中心に取付穴が設けられ、ローラ軸１２，２２，３２，４２，５２に挿入されている。それぞれのローラ軸１２，２２，３２，４２，５２にはねじ溝が設けられ、ローラ１０Ａ及び１０Ｂ，２０Ａ及び２０Ｂ，３０Ａ及び３０Ｂ，４０Ａ及び４０Ｂ，５０Ａ及び５０Ｂは、それぞれナット１１，２１，３１，４１，５１によって各ローラ軸にねじ止めされ固定されている。ここで、左右一対のローラ１０Ａ及び１０Ｂ（２０Ａ及び２０Ｂ，３０Ａ及び３０Ｂ，４０Ａ及び４０Ｂ，５０Ａ及び５０Ｂ）の幅は、適宜ナット１１（２１，３１，４１，５１）の移動及び締め付けにより調整することができる。
【００１８】
図１に示すように、左右一対のローラ１０Ａと１０Ｂ，２０Ａと２０Ｂ，３０Ａと３０Ｂ，４０Ａと４０Ｂ，５０Ａと５０Ｂは同径であるが、図２に示すように、縦長に配置されるローラ１０Ａ（１０Ｂ）と、ローラ２０Ａ（２０Ｂ）と、ローラ３０Ａ（３０Ｂ）と、ローラ４０Ａ（４０Ｂ）と、ローラ５０Ａ（５０Ｂ）は、それぞれその径を変化させている。すなわち、人体背部１０００（図２の２点鎖線）に沿って、ローラ１０Ａ（１０Ｂ）が人体の肩部を、ローラ２０Ａ（２０Ｂ）からローラ４０Ａ（４０Ｂ）は肩部から腰部を、ローラ５０Ａ（５０Ｂ）が腰部に当るようにその径を選択配置する。
【００１９】
上記ローラ軸１２，２２，３２，４２，５２は、１本の縦長の連結部材１００により係止される。連結部材１００は、図３に示すように、複数の切り欠き部１０１ａ，１０１ｂ，１０１ｃ，１０１ｄ，１０１ｅが一定間隔をおいて設けられ、その切り欠き部にローラ軸１２，２２，３２，４２，５２を挿入することにより、左右一対のローラ１０Ａと１０Ｂ，２０Ａと２０Ｂ，３０Ａと３０Ｂ，４０Ａと４０Ｂ，５０Ａと５０Ｂが縦長方向に回転自在に配置されるようになる。また、それぞれの切り欠き部１０１ａ，１０１ｂ，１０１ｃ，１０１ｄ，１０１ｅの入口部分には一対のゴム等で構成された弾性体１０２（係止部）が配置され、当該切り欠き部に挿入されたローラ軸が簡単に抜け落ちないように構成されている。なお、本実施の形態では、連結部材１００に設けた切り欠き部１０１ａ，１０１ｂ，１０１ｃ，１０１ｄ，１０１ｅの深さは一定値ｈとし、一番大きい径のローラ（図２ではローラ１０Ａ（１０Ｂ）と５０Ａ（５０Ｂ））を有するローラ軸（図２ではローラ軸１２，５２）と、一番径の小さなローラ（図２ではローラ１０Ａ及び１０Ｂと５０Ａ及び５０Ｂ）を有するローラ軸（図２ではローラ軸４２）が共に、それぞれの切り欠き部に挿入し得るように設計されている。また、図３の点線で示すように、切り欠き部１０１ｆを縦長方向に多数設け、ローラ軸を適宜、多数の切り欠き部１０１ｆの中から選択して挿入することにより、ローラ軸間（すなわちローラ間）を調整することができる。
【００２０】
上記ローラ１０Ａ及び１０Ｂがねじ止め固定されるローラ軸１２は横長に形成され、その両端部にはローラ１０Ａ及び１０Ｂと同径の一対の支持用ローラ９０Ａ及び９０Ｂがナット９１により取り付けられている。また、上記ローラ軸１２には一対の把持部材２００Ａ及び２００Ｂがナット２０１により取り付けられている。把持部材２００Ａ及び２００Ｂは、図４に示すように、ローラ軸１２に挿入される挿入部２１０と、挿入部２１０からローラ軸１２の外径方向に延設する延設部２１１と、延設部２１１の端部からローラ軸１２と平行に延設する把持部２１２から構成されている。
【００２１】
次に、上記のように構成されたマッサージ器具の組立及び動作について説明する。左右一対のローラ１０Ａと１０Ｂ，２０Ａと２０Ｂ，３０Ａと３０Ｂ，４０Ａと４０Ｂ，５０Ａと５０Ｂは、あらかじめローラ軸１２，２２，３２，４２，５２に挿入され、ナット１１，２１，３１，４１，５１によってねじ止めされ固定されている。なお、上記一対のローラ１０Ａ及び１０Ｂ（２０Ａ及び２０Ｂ，３０Ａ及び３０Ｂ，４０Ａ及び４０Ｂ，５０Ａ及び５０Ｂ）の幅は、背骨やけんこう骨等の骨が当らないように調整されており、使用者が適宜ナット１１（２１，３１，４１，５１）の締め付けにより調整することもできる。
【００２２】
また、ローラ軸１２の両端部には、あらかじめ支持用ローラ９０Ａ及び９０Ｂがナット９１によりねじ止め固定され、一対の把持部材２００Ａ及び２００Ｂがナット２０１によりねじ止め固定されている。
【００２３】
使用者は、それぞれ径の異なるローラ１０Ａ（１０Ｂ）、ローラ２０Ａ（２０Ｂ）、ローラ３０Ａ（３０Ｂ）、ローラ４０Ａ（４０Ｂ）、ローラ５０Ａ（５０Ｂ）を肩凝り、腰痛等の症状に応じて適宜選択して縦長に配置する。一般的に、大径のローラ１０Ａ（１０Ｂ）を肩部に当て、中径から小径のローラ２０Ａ（２０Ｂ）〜ローラ４０Ａ（４０Ｂ）を肩部から腰部に当て、大径のローラ５０Ａ（５０Ｂ）が腰部に当るように配置する。
【００２４】
そして、縦長の連結部材１００により、ローラ１０Ａ（１０Ｂ）、２０Ａ（２０Ｂ）、３０Ａ（３０Ｂ）、４０Ａ（４０Ｂ）、５０Ａ（５０Ｂ）をねじ止め固定したローラ軸１２，２２，３２，４２，５２を係止する。すなわち、連結部材１００の切り欠き部１０１ａ，１０１ｂ，１０１ｃ，１０１ｄ，１０１ｅにローラ軸１２，２２，３２，４２，５２を挿入することにより、左右一対のローラ１０Ａと１０Ｂ，２０Ａと２０Ｂ，３０Ａと３０Ｂ，４０Ａと４０Ｂ，５０Ａと５０Ｂが縦長方向に回転自在に配置される。ここで、切り欠き部１０１ａ，１０１ｂ，１０１ｃ，１０１ｄ，１０１ｅの入口部分には一対のゴム等で構成された弾性係止部材１０２が配置されているので、当該切り欠き部に挿入されたローラ軸は簡単に抜け落ちることはない。
【００２５】
上記のように組み立てられたマッサージ器具を、図２のように床面等に置いた状態で、使用者は上記マッサージ器具の上に仰向けに寝る。この時、使用者の背骨がローラ１０Ａ及び１０Ｂ、２０Ａ及び２０Ｂ、３０Ａ及び３０Ｂ、４０Ａ及び４０Ｂ、５０Ａ及び５０Ｂの幅の中間に来るようにし、背骨がローラに当らないようにする。また、ローラ１０Ａ及び１０Ｂが肩部に、ローラ２０Ａ及び２０Ｂからローラ４０Ａ及び４０Ｂが肩部から腰部に、ローラ５０Ａ及び５０Ｂが腰部に当るようにする。この状態で、しばらく静止すると、使用者の体重によりローラ１０Ａ及び１０Ｂ、２０Ａ及び２０Ｂ、３０Ａ及び３０Ｂ、４０Ａ及び４０Ｂ、５０Ａ及び５０Ｂが、肩部から腰部に掛けて付いている筋肉をじっくりと押圧して行き、当該筋肉の緊張を表面から内部に向って順次、緩和させて行くと共に血行を促進して行く。また、使用者は、一対の把持部材２００Ａ及び２００Ｂの把持部２１２を手で掴み、図２のＹ−Ｙ方向（上下方向）に手と足を使って往復移動することにより、肩部から腰部に掛けて付いている筋肉の凝り又はつぼを、ローラ延長線上を点で順次追うことによって、連続して探索しながらマッサージすることができる。更に、背骨の矯正も行うことができる。
【００２６】
また、使用者は、ローラ軸１２に取り付けられている一対の把持部材２００Ａ及び２００Ｂの把持部２１２を両手で握って背伸びをすることにより、上述の筋肉の緩和、血行の促進等のマッサージ効果を更に増進することができる。
【００２７】
また、本実施の形態では、図１及び図２に示すように、相隣り合う一対のローラ、例えば、一対のローラ１０Ａ及び１０Ｂと一対のローラ２０Ａ及び２０Ｂのローラ幅を若干変化させ、ローラ１０Ａ及び１０Ｂとローラ２０Ａ及び２０Ｂの円が互いに重なり合うように縦長に配置することにより、人体の背部の筋肉（肩部から腰部に掛けて付いている筋肉）を点では無くより線に近い形で接触させることができ、連続的な刺激を与えてマッサージ効果を高めることができる。
【００２８】
更に、本実施の形態によれば、左右一対の同径のローラを固定した複数個のローラ軸と、複数個の切り欠き部を設けた縦長状の連結部材により構成されているので、設置スペースがほとんど必要なく、狭い室内、寝室、物品が散らかった場所でも使用することができる。
【００２９】
また、構成する部品点数が少なく、構造も簡単であり、組立・分解作業にほとんど労力及び時間を必要としない。
【００３０】
更に、分解して保管するに当ってもスペースをとらず、使用に際して容易に携行することができる。
【００３１】
また、連結部材の切り欠き部にローラ軸抜け落ち用の係止部が設けてあるので、マッサージ器具をそのままの形で持ち運びすることができる。
【００３２】
更に、左右一対のローラと連結部材は容易に取り外すことができるので、左右一対のローラを各々単独で使用することができ、例えば左右一対のローラを首の背後部分に押し当て、頸椎部分の凝りを解消することができる。
【００３３】
実施の形態２．
実施の形態１では、縦長に配置されるローラ１０Ａ（１０Ｂ）、ローラ２０Ａ（２０Ｂ）、ローラ３０Ａ（３０Ｂ）、ローラ４０Ａ（４０Ｂ）、ローラ５０Ａ（５０Ｂ）について、その径を変化させたものを示したが、実施の形態２では、左右一対のローラの複数セットを全て同一径にして、１本の連結部材で連結するようにする。
【００３４】
図５はこの考案の実施の形態２によるマッサージ器具を示す平面図、図６は上記マッサージ器具の側面図、図７は上記マッサージ器具の連結部材を示す側面図である。
【００３５】
図において、左右一対のローラ６０Ａと６０Ｂが複数セット用意され、それぞれ中心に取付穴が設けられ、ローラ軸６２に挿入されている。ローラ軸６２にはねじ溝が設けられ、ローラ６０Ａ及び６０Ｂはナット６１によってローラ軸６２にねじ止めされ固定されている。
【００３６】
ローラ軸６２は、１本の縦長の連結部材１１０により係止される。連結部材１１０は、図７に示すように、複数の切り欠き部１１１が一定間隔をおいて設けられ、その切り欠き部１１１にローラ軸６２を挿入することにより、左右一対のローラ６０Ａと６０Ｂが縦長方向に回転自在に配置されるようになる。また、切り欠き部１１１の入口部分には一対のゴム等で構成された弾性係止体１１２が配置され、当該切り欠き部１１１に挿入されたローラ軸６２が簡単に抜け落ちないように構成されている。
【００３７】
上記のように構成されたマッサージ器具の組立及び動作は、実施の形態１と同様であるので説明を省略する。ただし、上記実施の形態１では、それぞれ径の異なる左右一対のローラを適宜配置することにより、人体の側面体形に沿った形で、背部の全筋肉に直接接することにより刺激を与えることができるが、初めての使用者にとっては刺激が強過ぎる懸念があった。本実施の形態では、左右一対のローラの複数セットを全て同一径にし、しかも各ローラの幅を実施の形態１より幅広にすることにより、背部の全筋肉に直接接することがなくなり、適当な刺激を与えることができ、初心者にとっても安心して使用することができる。
【００３８】
実施の形態３．
上記実施の形態１及び２では、複数個のローラ軸を１本の縦長の連結部材で係止することにより構成したマッサージ器具について説明したが、本実施の形態では、複数の連結部材を用意し、１つの連結部材で隣り合うローラ軸同士を係止するようにしたマッサージ器具について説明する。
【００３９】
実施の形態１において、複数個のローラ軸を１本の縦長の連結部材で係止するようにすると、その直径が大幅に相違するローラ同士をセットする場合、連結部材の切り欠き部にローラ軸を挿入することができないものが出てくる。また、１本の連結部材の場合、その長さや切り欠き部の数が決っているので、セットできる左右一対のローラ数が決ってしまい、左右一対のローラを何個セットするかについて融通に欠けることがある。本実施の形態は、このような課題を解消するためのものである。
【００４０】
図８は、この考案の実施の形態３によるマッサージ器具の連結部材を示す平面図及び側面図である。図において、連結部材２００及び２１０は隣り合うローラ軸を連結するためのものである。そして、連結部材２００の両端部にはそれぞれ切り欠き部２０１ａ，２０１ｂが設けられ、複数個（２個）ある切り欠き部２０１ａの一方にローラ軸を挿入し、複数個（２個）ある切り欠き部２０１ｂの一方に隣り合うローラ軸を挿入する。同様に、連結部材２１０の両端部にはそれぞれ切り欠き部２１１ａ，２１１ｂが設けられ、複数個（２個）ある切り欠き部２１１ａの一方にローラ軸を挿入し、複数個（２個）ある切り欠き部２１１ｂの一方に隣り合うローラ軸を挿入する。このように、切り欠き部２０１ａ，２０１ｂ，２１１ａ，２１１ｂがそれぞれ複数個（２個）用意されているのは、ローラ間の長さを適宜調整できるようにするためである。また、それぞれの切り欠き部２０１ａ，２０１ｂ，２１１ａ，２１１ｂの入口部分には一対のゴム等で構成された弾性係止体２０２，２１２が配設され、当該切り欠き部に挿入されたローラ軸が簡単に抜け落ちないように構成されている。
【００４１】
図９及び図１０は本実施の形態の連結部材を使用して左右一対のローラを複数セット縦長方向に配置した例を示している。図９は比較的直径の小さな複数セットのローラを縦長方向に余裕を持たせて配置した例を示し、図１０は比較的直径の大きな複数セットのローラを縦長方向に距離を詰めて配置した例を示している。また、図９及び図１０に示すように、連結部材により連結する左右一対のローラのセット数に限りはないため、例えば小径のローラ７０及び８０を縦長方向の最後尾に配置して、使用者の尻部に当接することにより、尻部の筋肉の凝りの緩和やせん骨の矯正を同時に行うことができる。
【００４２】
図１１は本実施の形態によるマッサージ器具の他の連結部材を示す平面図及び側面図である。図において、連結部材２２０及び連結部材２３０は、共同して隣り合うローラ軸同士を係止するものである。連結部材２２０及び２３０の両端部にはそれぞれ切り欠き部２２１ａ，２２１ｂ，２３１ａ，２３１ｂが設けられ、連結部材２２０の切り欠き部２２１ａ，２２１ｂは、長手方向においてその中央側から両端側に向って傾斜を持たせている。一方、連結部材２３０の切り欠き部２３１ａ，２３１ｂは、長手方向に対して直角方向に切り欠きを設けている。なお、連結部材２３０は２枚の板を組み合わせたもので、連結棒２３２により連結されている。また、連結部材２２０の中央上部には切り欠き２２２が設けられ、連結部材２３０の連結棒２３２が挿入されるようになっている。
【００４３】
連結部材２２０及び連結部材２３０のローラ軸への係止方法について説明する。まず、連結部材２２０の斜に形成された切り欠き部２２１ａに一方のローラ軸を挿入し、同じく斜に形成された切り欠き部２２１ｂに相隣り合う他方のローラ軸を挿入する。その後、連結部材２３０の切り欠き部２３１ａに一方のローラ軸を挿入し、切り欠き部２３１ｂに相隣り合う他方のローラ軸を挿入する。その結果、相隣り合うローラ軸が互いにどのような方向に接近、離間しようとしても容易に切り欠き部から離脱することがなく、切り欠き部にローラ軸抜け落ち用の係止部が設けなくても、マッサージ器具を連結したままで持ち運ぶことができ、その場合ローラ軸が抜け落ちることがない。
【００４４】
【考案の効果】
以上のように、この考案によれば、左右一対のローラを取り付けたローラ軸と、複数個の切り欠き部を設けた連結部材を備え、左右一対のローラをそのローラ軸が相互に平行になるように複数セット配置し、連結部材の切り欠き部をそれぞれローラ軸に挿入することにより、左右一対のローラが縦長方向にそれぞれ回転自在に配置されるので、設置スペースがほとんど必要なく、狭い室内、寝室、物品が散らかった場所でも使用することができるマッサージ器具を提供する。
【００４５】
また、構成する部品点数が少なく、構造も簡単であり、組立・分解作業にほとんど労力及び時間を必要としないマッサージ器具を提供することを目的とする。
【００４６】
更に、分解して保管するに当ってもスペースをとらず、使用に際してもマッサージ器具をそのまま容易に携行することができる。
【図面の簡単な説明】
【図１】この考案の実施の形態１によるマッサージ器具を示す平面図である。
【図２】この考案の実施の形態１によるマッサージ器具を示す側面図であり、図１のＸ−Ｘ線から視た図である。
【図３】この考案の実施の形態１によるマッサージ器具の連結部材を示す側面図である。
【図４】この考案の実施の形態１によるマッサージ器具の把持部材を示す側面図である。
【図５】この考案の実施の形態２によるマッサージ器具を示す平面図である。
【図６】この考案の実施の形態２によるマッサージ器具を示す側面図である。
【図７】この考案の実施の形態２によるマッサージ器具の連結部材を示す側面図である。
【図８】この考案の実施の形態３によるマッサージ器具の連結部材を示す平面図及び側面図である。
【図９】この考案の実施の形態３によるマッサージ器具を示す平面図である。
【図１０】この考案の実施の形態３によるマッサージ器具を示す平面図である。
【図１１】この考案の実施の形態３によるマッサージ器具の他の連結部材を示す平面図及び側面図である。
【符号の説明】
１０Ａ，１０Ｂ，２０Ａ，２０Ｂ，３０Ａ，３０Ｂ，４０Ａ，４０Ｂ，５０Ａ，５０Ｂ，６０Ａ，６０Ｂ，７０Ａ，７０Ｂ，８０Ａ，８０Ｂ　ローラ、１２，２２，３２，４２，５２，６２，７２，８２　ローラ軸、１００，１１０，２００，２１０，２２０，２３０　連結部材、１０１，２０１，２１１，２２１，２３１　切り欠き部、１０２，１１２，２０２，２１２　係止部。
【図１】
0003097773.tif 000003
【図２】
0003097773.tif 000004
【図３】
0003097773.tif 000005
【図４】
0003097773.tif 000006
【図５】
0003097773.tif 000007
【図６】
0003097773.tif 000008
【図７】
0003097773.tif 000009
【図８】
0003097773.tif 000010
【図９】
0003097773.tif 000011
【図１０】
0003097773.tif 000012
【図１１】
0003097773.tif 000013